【事件の表示】
　特願２０１２−２３６１６１「充電ステーションとの通信に使用されるシステムおよび方法」拒絶査定不服審判事件〔平成２５年　５月２０日出願公開、特開２０１３−　９７７９６、請求項の数（９）〕について、次のとおり審決する。
【結　論】
　原査定を取り消す。
　本願の発明は、特許すべきものとする。
【理　由】
第１　手続の経緯
　本願は、平成２４年１０月２６日（優先権主張２０１１年１０月３１日　米国）の出願であって、平成２８年１０月２８日付けで拒絶理由通知がなされ、平成２９年１月１８日に手続補正がなされたが、平成２９年６月１５日付けで拒絶査定（原査定）がなされ、これに対し、平成２９年１０月３日に拒絶査定不服審判の請求がなされると同時に手続補正がなされたものである。
第２　原査定の概要
　原査定（平成２９年６月１５日付け拒絶査定）の概要は次のとおりである。
　請求項１−１０に係る発明は、引用文献１−５に記載された発明に基づいて、当業者であれば容易になし得たものであるから、特許法第２９条第２項の規定により特許を受けることができない。
引用文献等一覧
１.特開２０１０−１１９１６２号公報
２.特開２０１１−１６６３５５号公報
３.特開２０１１−３４５００号公報
４.米国特許出願公開第２０１１／０２４１８２４号明細書
５.特開２０１０−２３０６１５号公報
第３　本願発明
　本願請求項１−９に係る発明（以下、それぞれ「本願発明１」−「本願発明９」という。）は、平成２９年１０月３日の手続補正により補正された特許請求の範囲の請求項１−９に記載された事項により特定される発明であり、本願発明１は以下のとおりの発明である。
「【請求項１】
充電ステーション（１０４）から電動自動車（１０２）に充電する際に使用されるポータブル通信デバイス（１１０）であって、
　前記充電ステーションと関連付けられたコード（１１２）を受け取るように構成された第１の入力デバイス（２４）と、
　表示デバイス（２２）と、
　前記第１の入力デバイスおよび前記表示デバイスに結合されたプロセッサ（１４）であって、前記第１の入力デバイスが受け取った前記コードに基づいて前記充電ステーションの識別子を決定し、前記識別子を充電ネットワークサーバに送信して前記充電ステーションとの通信を開始し、前記充電ステーションから該充電ステーションに関連付けられたコンテンツを受けとり、前記充電ステーションと関連付けられたコンテンツを含むユーザインターフェース（３０４）を前記表示デバイスに表示させるように構成されたプロセッサ（１４）と
　を備え、
　前記充電ネットワークサーバは、前記識別子を受け取り、該識別子に基づいて前記ポータブル通信デバイス（１１０）と前記充電ステーションとの通信を管理し、
　前記ポータブル通信デバイス（１１０）は、前記プロセッサ（１４）に結合され、ユーザ（２０）から充電の停止の指示を含む充電コマンドを受信するように構成された第２の入力デバイス（２５）をさらに備え、前記プロセッサが、前記ポータブル通信デバイス（１０）の前記第２の入力デバイスから充電コマンドを受信し、前記充電コマンドを前記充電ネットワークサーバに送信するように構成されており、前記充電ネットワーサーバが前記充電コマンドを前記充電ステーション（１０４）に送信するように構成されている、
ポータブル通信デバイス。」（なお、上記「前記充電ネットワーサーバ」との語は、「前記充電ネットワークサーバ」の明らかな誤記である。）
　なお、本願発明２−９は、本願発明１を直接的又は間接的に引用した発明である。
第４　引用文献、引用発明等
１．引用文献１について
　原査定の拒絶の理由に引用された上記引用文献１（特開２０１０−１１９１６２号公報）には、図面とともに次の事項が記載されている（下線は、当審において付与した。）。
ア．「【０００１】
　本発明は、
電気自動車やプラグインハイブリッド車等の充電池を備える自動車を充電可能な時間貸し駐車場の課金システム
イ．「【００２１】
　本発明の一実施形態に係る課金システム１の全体構成を図１に示す。課金システム１を備える時間貸し駐車場には、通常の駐車スペースに加えて、電気自動車３を駐車するための電気自動車専用駐車スペース２が設けられ、電気自動車専用駐車スペース２に近接して電気自動車３のバッテリを充電するための充電装置１０が設置されている。
課金システム１は、充電装置１０（充電手段）と、充電装置管理サーバ２０と、入庫管理装置３０と、料金徴収装置４０と、料金管理サーバ５０とが、ネットワークで接続されて構成されている
ウ．「【００２３】
　・・・（中略）・・・
充電装置１０は
充電用ケーブル１４
を備える
エ．「【００２７】
　
充電装置１０には、ＵＲＬ（Ｕｎｉｆｏｒｍ  Ｒｅｓｏｕｒｃｅ  Ｌｏｃａｔｏｒ）が割当てられ、該ＵＲＬは、２次元情報コード８０として充電装置１０の適所に電気自動車３の運転者に視認可能に表示される。充電装置１０が複数設置される場合、各々の充電装置１０に異なるＵＲＬが割当てられる。
【００２８】
　
充電装置１０は、上記に説明した各部の動作によって得られた前記認証コード、充電開始時刻、充電終了時刻、充電時間、充電電気容量などの情報を、充電装置管理サーバ２０に随時送信する。
オ．「【００２９】
　充電装置管理サーバ２０は、充電装置１０を管理するためのサーバであり、・・・（中略）・・・記憶部２１、登録受付部２２（登録手段）、通知情報作成部２３を具備するように機能する。
・・・（中略）・・・
【００３０】
　
記憶部２１は
充電装置１０から充電装置管理サーバ２０に随時送信される充電開始時刻、充電終了時刻、充電時間、充電電気容量などの各種の情報を記憶する。
・・・（中略）・・・
【００３２】
　
通知情報作成部２３は、
ち充電の進捗状況
を記憶部２１から抽出し、電子メール形式に変換する
充電が完了したことを携帯電話７０に通知する充電完了通知メールを作成する
カ．「【００４３】
　
前記運転者は、充電用ケーブル１４を電気自動車３の充電用ソケットに接続して充電を開始し、充電装置１０から離れる前に、携帯電話７０を用いて２次元情報コード８０を読み取り前記ＵＲＬにアクセスする。
【００４４】
　
前記ＵＲＬにアクセスすることで接続されるＷｅｂページには、例えばメールアドレスが表示されており、前記運転者は、例えば携帯電話７０を用いて該メールアドレスに空メールを送信する。前記空メールはインターネット６０を経由して充電装置管理サーバ２０に送信され、携帯電話７０のメールアドレスが充電装置管理サーバ２０に登録される
【００４５】
　
この登録操作を行うことで、前記運転者は、電気自動車３のバッテリの充電終了や充電の進捗状況等の充電情報を、電子メールで受信することができるようになる
・・・（中略）・・・
【００４８】
　
上記登録操作によって、前記運転者は、前記バッテリの充電の進捗状況を前記電子メールによって知ることができ
キ．「【００６０】
　さらに、
充電装置１０は、充電部１１の充電状態が終了すると、充電終了通知として、充電終了時刻、充電時間、充電電気容量などの情報を、充電装置管理サーバ２０に送信する
　したがって、上記引用文献１には次の発明（以下、「引用発明」という。）が記載されている。
＜引用発明＞
「電気自動車やプラグインハイブリッド車等の充電池を備える自動車を充電可能な時間貸し駐車場の課金システムであって（【０００１】）、
　充電装置１０と、充電装置管理サーバ２０と、入庫管理装置３０と、料金徴収装置４０と、料金管理サーバ５０とがネットワークで接続されて構成され（【００２１】）、
　各々の充電装置１０に異なるＵＲＬ（Ｕｎｉｆｏｒｍ  Ｒｅｓｏｕｒｃｅ  Ｌｏｃａｔｏｒ）が割当てられ、該ＵＲＬは、２次元情報コード８０として充電装置１０の適所に表示され（【００２７】）、
　運転者は、充電装置１０の充電用ケーブル１４を電気自動車３の充電用ソケットに接続して充電を開始し、充電装置１０から離れる前に、携帯電話７０を用いて２次元情報コード８０を読み取り前記ＵＲＬにアクセスし（【００４３】【００２３】）、
　前記ＵＲＬにアクセスすることで接続されるＷｅｂページには、メールアドレスが表示されており、運転者は、携帯電話７０を用いて該メールアドレスに空メールを送信し、前記空メールは充電装置管理サーバ２０に送信され、携帯電話７０のメールアドレスが充電装置管理サーバ２０に登録され、この登録操作を行うことで、前記運転者は、電気自動車３のバッテリの充電終了や充電の進捗状況等の充電情報を電子メールで受信して（【００４４】【００４５】）、進捗状況を知ることができ（【００４８】）、
　充電装置１０は、充電開始時刻、充電時間、充電電気容量の情報を、充電装置管理サーバ２０に随時送信し（【００２８】）、充電状態が終了すると、充電終了通知として、充電終了時刻、充電時間、充電電気容量の情報を、充電装置管理サーバ２０に送信し（【００６０】）、
　充電装置管理サーバ２０は、充電装置１０から送信された前記各種情報を記憶部２１に記憶し（【００３０】）、
　充電装置管理サーバ２０は、充電の進捗状況を記憶部２１から抽出して電子メール形式に変換し、また、充電が終了した場合には充電が完了したことを通知する充電完了通知メールを作成し、これらの電子メールを携帯電話７０へ送信する（【００３２】）、
　課金システム。」
２．引用文献２について
　原査定の拒絶の理由に引用された上記引用文献２（特開２０１１−１６６３５５号公報）には、図面とともに次の事項が記載されている（下線は、当審において付与した。）。
ア．「【０００１】
　本発明は、例えば、
電気自動車に搭載されたバッテリを充電する給電装置を利用するユーザに対して各種の広告情報を配信する広告配信機能付き給電システム
イ．「【００２２】
　図１は、電気自動車の広告配信機能付き給電システムにおける一つの実施形態を示す。この実施形態における
給電システムは、電気自動車１に搭載されたバッテリへ電力を供給するために給電スタンドに設置された給電装置２と、電気自動車１のユーザが所有する端末器３
と、給電サービス事業者が所有し、給電装置２あるいは端末器３との間での送受信を通信網４を介して実行する給電サーバ５とを備えている
ウ．「【００２９】
　まず、電気自動車１のユーザが給電装置２を利用するに際して、ユーザの給電要求により、給電サーバ５では、給電装置２を利用するユーザを特定すると共にその給電装置２を特定する。つまり、
ユーザが給電装置２から給電サーバ５へ給電を要求する
給電サーバ５では、給電装置２から送信されてきた情報に基づいて、そのユーザが給電サービス事業者と契約を締結した者であることをユーザＩＤ等によるユーザ認証でユーザを特定すると共に、いずれの地域に設置された給電装置２であるかを給電装置ＩＤによる給電装置認証で給電装置２を特定する。このユーザおよび給電装置２の特定に基づいて給電装置２による電気自動車１のバッテリへの充電を開始する。
【００３０】
　
給電サーバ５では、ユーザの特定により、利用者情報データベース７からユーザの属性情報
を抽出すると共に、給電装置２の特定により、広告情報データベース８からその給電装置２を利用するユーザにとって有益な広告情報
を特定する
【００３１】
　その上で、選択編集プログラム９により、
利用者情報データベース７から抽出された属性情報と広告情報データベース８から抽出された広告情報とを相互に関連付けし、ユーザの属性
に適合した広告情報
を給電サーバ５からユーザの端末器３へ通信網４を介して配信する
　したがって、上記引用文献２には次の事項が記載されている。
＜引用文献２の記載事項＞
「電気自動車に搭載されたバッテリを充電する給電装置を利用するユーザに対して各種の広告情報を配信する広告配信機能付き給電システムであって（【０００１】）、
　電気自動車１に搭載されたバッテリへ電力を供給するために給電スタンドに設置された給電装置２と、電気自動車１のユーザが所有する端末器３と、給電サービス事業者が所有し、給電装置２あるいは端末器３との間での送受信を通信網４を介して実行する給電サーバ５とを備え（【００２２】）、
　ユーザは、給電装置２から給電サーバ５へ給電を要求し（【００２９】）、
　給電サーバ５は、給電装置２から送信されてきた情報に基づいて、ユーザＩＤ等によるユーザ認証でユーザを特定すると共に、給電装置ＩＤによる給電装置認証で給電装置２を特定し、このユーザおよび給電装置２の特定に基づいて給電装置２による電気自動車１のバッテリへの充電を開始し（【００２９】）、
　 給電サーバ５は、ユーザの特定により、利用者情報データベース７からユーザの属性情報を抽出すると共に、給電装置２の特定により、広告情報データベース８からその給電装置２を利用するユーザにとって有益な広告情報を特定し（【００３０】）、
　前記属性情報と前記広告情報とを相互に関連付けし、ユーザの属性に適合した広告情報を給電サーバ５からユーザの端末器３へ通信網４を介して配信する（【００３１】）、
　広告配信機能付き給電システム。」
　　　　
３．引用文献３について
　原査定の拒絶の理由に引用された上記引用文献３（特開２０１１−３４５００号公報）には、図面とともに次の事項が記載されている（下線は、当審において付与した。）。
ア．「【０００１】
　本発明は、例えば、
電気自動車に搭載されたバッテリを給電装置にて充電し、その使用電力量に応じた電力料金を含む給電装置の利用料を電気自動車のユーザに課金する電気自動車の給電課金システム
イ．「【００３０】
　まず、図３に示す給電要求（STEP1）において、
ユーザ１０は、給電装置２０に貼り付けられたＱＲコード２１を携帯電話１１で撮影することにより、通信網３０を介して、給電サービス事業者の給電サーバ４０にアクセスする（STEP1-1）。このユーザ１０からの給電サーバ４０へのアクセスにより、給電サーバ４０ではユーザ１０が給電要求している給電装置２０を特定する
【００３１】
　図４に示すユーザ認証（STEP2）において、ユーザ１０は、給電サーバ４０へのアクセス後、携帯電話１１でＩＤおよびパスワードを通信網３０を介して給電サーバ４０へ送信する（STEP2-1）。
給電サーバ４０では、ユーザ１０から送信されてきたＩＤおよびパスワードに基づいてユーザ認証を行うと共に、決済代行業者５０との間で与信処理を実行する（STEP2-2）
この処理後、ユーザ１０の携帯電話１１へ通信網３０を介してユーザ認証ＯＫを送信する
給電サーバ４０は、給電準備指令を通信網３０を介して給電装置２０へ送信する
ウ．「【００３２】
　図５に示す給電開始要求（STEP3）において、ユーザ１０は、給電装置２０の青色ＬＥＤ２２が点灯（図中黒丸で示す）して給電準備完了の状態であることを確認した上で、電気自動車１２のバッテリ（図示せず）を給電装置２０にコネクタ接続する（STEP3-1）。一方、
ユーザ１０は、携帯電話１１で給電サーバ４０にアクセスした状態で
給電開始要求を送信する
エ．「【００３４】
　図６に示す給電開始（STEP4）において、
給電開始要求を受信した給電サーバ４０は、通信網３０を介して給電装置２０へ給電開始指令を送信する
この給電開始指令を受信した給電装置２０では
給電装置２０は
電気自動車１２のバッテリへの給電を開始する
　したがって、上記引用文献３には次の事項が記載されている。
＜引用文献３の記載事項＞
「電気自動車に搭載されたバッテリを給電装置にて充電し、その使用電力量に応じた電力料金を含む給電装置の利用料を電気自動車のユーザに課金する給電課金システムであって（【０００１】）、
　ユーザ１０は、給電装置２０に貼り付けられたＱＲコード２１を携帯電話１１で撮影することにより、通信網３０を介して、給電サービス事業者の給電サーバ４０にアクセスし、このアクセスにより給電サーバ４０はユーザ１０が給電要求している給電装置２０を特定し（【００３０】）、
　給電サーバ４０は、ユーザ１０から送信されてきたＩＤおよびパスワードに基づいてユーザ認証を行うと共に与信処理を実行し、この処理後、携帯電話１１へユーザ認証ＯＫを送信し、一方、給電装置２０へ給電準備指令を送信し（【００３１】）、
　ユーザ１０は、給電準備完了の状態であることを確認した上で、電気自動車１２のバッテリを給電装置２０にコネクタ接続し、携帯電話１１で給電サーバ４０にアクセスした状態で給電開始要求を送信し（【００３２】）、
　給電開始要求を受信した給電サーバ４０は、通信網３０を介して給電装置２０へ給電開始指令を送信し（【００３４】）、
　この給電開始指令を受信した給電装置２０は、電気自動車１２のバッテリへの給電を開始する（【００３４】）、　
　給電課金システム。」
４．引用文献４について
　原査定の拒絶の理由に引用された上記引用文献４（米国特許出願公開第２０１１／０２４１８２４号明細書）には、図面とともに次の事項が記載されている（下線は、当審において付与した。）。
ア．「[0003]  
The present invention relates to a managing server which is connected to a charger for charging an in-vehicle mount battery of an electric vehicle so as to be able to communicate with the charger, an in-vehicle mount type battery charging system having the managing server
（当審訳：[0003]　
本発明は、電気車両の車載バッテリーへ充電する充電器に通信可能に接続された管理サーバー、管理サーバーを備える車載バッテリー充電システム
イ．「[0066]　According to the in-vehicle mount type battery charging system  1  of this embodiment, 
a user who has been pre-registered as a member can utilize the charger  12  of the charging station  14
（当審訳：[0066]　本実施形態に係る車載バッテリー充電システム１においては、
予め会員として登録されたユーザーが充電ステーション１４の充電器１２を利用できる構成となっている
ウ．「[0081]  First, a user as a nonmember requests registration of a temporary member to the managing server  10 . The temporary member is a person who is qualified to temporarily use chargers  12  of charging stations  14 , and the user as the member can use the chargers  12  of the charging stations  14  by registering himself/herself as a temporary member.
[0082]  Specifically, referring to  FIG. 4 , 
the user as the nonmember accesses the managing server  10  by the cellular phone  17  (step SA 1 ) to display a temporary member registering site  50  ( FIG. 6 ) open for temporary member registration on the cellular phone  17  (step SA 2 )
[0083]  In this embodiment, 
URL of the temporary member registering site  50  is displayed on the charger side display panel  27  of the charger  12 , and a two-dimensional bar code for accessing the temporary member registering site  50  is displayed. When the cellular phone  17  is provided with a camera which is designed to read a two-dimensional bar code, the user reads the two-dimensional code by using the cellular phone  17  to access the temporary member registering site  50
（当審訳：[0081]　まず、非会員たるユーザーは、管理サーバー１０に対して仮会員の登録を申し込む。
仮会員とは、充電ステーション１４の充電器１２を一時的に利用可能な資格が与えられる者のことであり、仮会員として登録されることにより、非会員たるユーザーは、充電ステーション１４の充電器１２を利用することができるようになる
[0082]　具体的には、図４を参照し、
非会員たるユーザーは、携帯電話１７により管理サーバー１０にアクセスし（ステップＳＡ１）、仮会員登録のために開設された仮会員登録用サイト５０（図６）を携帯電話１７に表示する（ステップＳＡ２）
[0083]　なお、本実施形態では、
充電器１２の充電器側表示パネル２７に、仮会員登録用サイト５０のＵＲＬが表示されると共に、仮会員登録用サイト５０にアクセスするための２次元バーコードが表示されており、ユーザーは、携帯電話１７が２次元バーコードを読み取り可能に構成されたカメラ付きの携帯電話である場合には、携帯電話１７で２次元コードを読み取ることにより仮会員登録用サイト５０にアクセスし、
　したがって、上記引用文献４には次の事項が記載されている。
＜引用文献４の記載事項＞
「　電気車両の車載バッテリーへ充電する充電器に通信可能に接続された管理サーバーを備える車載バッテリー充電システムであって（[0003]）、
　予め会員として登録されたユーザーが充電ステーション１４の充電器１２を利用できる構成となっており（[0066]）、
　非会員たるユーザーは、管理サーバー１０に対して仮会員の登録を申し込み、仮会員として登録されることにより、充電ステーション１４の充電器１２を一時的に利用することができるようになり（[0081]）、
　仮会員の登録のために、充電器１２の充電器側表示パネル２７には、仮会員登録用サイト５０のＵＲＬが表示されると共に、仮会員登録用サイト５０にアクセスするための２次元バーコードが表示され[0083]）、
　非会員たるユーザーは、２次元バーコードを読み取り可能に構成されたカメラ付きの携帯電話で、２次元コードを読み取ることにより仮会員登録用サイト５０にアクセスする（[0082]、[0083]）、
　車載バッテリー充電システム。」
５．引用文献５について
　原査定の拒絶の理由に引用された上記引用文献５（特開２０１０−２３０６１５号公報）には、図面とともに次の事項が記載されている（下線は、当審において付与した。）。
ア．「【００１６】
　本実施形態の
電気自動車充電スタンドの予約方法は、
二次電池を搭載する電気自動車が、地域に点在する充電スタンドを予約するための方法
イ．「【００１７】
　図１は、本実施形態の電気自動車充電スタンドの予約方法を構成するシステム構成図である。101は
電気自動車に搭載されるカーナビゲーションシステム
ウ．「【００３１】
　これまでに説明したカーナビゲーションシステム101および予約サーバ104を用いていかに予約処理が実行されるかを図７に示す。この図にはカーナビゲーションシステム101と予約サーバ104と充電スタンドの管理端末106のあいだの通信によって実行される。
【００３２】
　まず
カーナビゲーションシステム101から予約サーバ104に充電スタンド探索要求S701が送信される
予約サーバ104は近隣充電スタンド探索S702を実行する。これは近隣探索機能203が充電残量から計算される走行可能距離から、近隣の充電スタンドを探索することで実現され
次に経路探索および到着時刻予測S703が実行される。この処理は近隣充電スタンド探索S702で抽出された全ての充電スタンドに対して、ルート探索機能204がルートの計算と到着予定時刻を計算することで実現される
これを受信した充電スタンドは充電スポットの空き情報を調べ、当該到着予定時刻における充電スポットの空きの有無を満空情報応答S705で返信する
満空情報応答S705を受信した予約サーバ104は
充電スタンド探索応答S706をカーナビゲーションシステム101に送信する
この充電スタンド探索応答S706には、充電スタンドID、充電スタンド位置、到着予定時刻、充電スタンド属性、メッセージIDのセットが複数含まれる。充電スタンド探索応答S706を受信したカーナビゲーションシステム101は充電スタンド位置を画面表示S707する
【００３３】
　この画面イメージを図８に示す。本実施例では、2か所の充電スタンド801、802が表示されている。801は充電スタンドの名称としてYYデパートと表示しており、予約時刻が9:15であることが表示されている。802は充電スタンドの名称としてXX充電スタンドと表示しており、予約時刻が9:00であることが表示されている。
【００３４】
　
電気自動車に乗車しているユーザは図８に示す画面を見て、充電スタンドを選択S708する
【００３５】
　
ユーザが充電スタンドを選択S708するとその選択結果が予約要求S709として予約サーバ104に送信される。
予約要求S709を受信した予約サーバ104は予約要求S710を予約要求S709に含まれる充電スタンドIDが示す充電スタンドの管理端末106に送信する
またこの予約要求S710は到着予定時刻も含む。充電スタンドは車両IDと到着予定時刻を受け取り、当該時刻に予約が可能であることを確認した上で予約応答S711を予約サーバ104に返答する
予約サーバ104では
予約応答S712をカーナビゲーションシステム101に応答する
予約応答S712には充電スタンドID、充電スタンド位置、経路探索および到着時刻予測S703で算出されたルート情報と到着予想時刻を含む
【００３６】
　これら一連の流れによって、カーナビゲーションシステム101による、管理端末106がある充電スタンドにおける充電場所の予約が完了する。また、予約処理完了時には
カーナビゲーションシステムは到着時刻までに到着するためにとるべきルートを受信しているため、それを表示することによってユーザを充電スタンドに誘導する
　したがって、上記引用文献５には次の事項が記載されている。
＜引用文献５の記載事項＞
「　二次電池を搭載する電気自動車が、地域に点在する充電スタンドを予約するための予約方法であって（【００１６】）、
　電気自動車に搭載されたカーナビゲーションシステム101は、予約サーバ104に充電スタンド探索要求を送信し（【００３２】【００１７】）、
　予約サーバ104は、電気自動車の近隣の充電スタンドを探索し（【００３２】）、探索された全ての充電スタンドに対して、ルートの計算と到着予定時刻を計算し（【００３２】）、
　予約サーバ104は、探索された充電スタンドに満空情報要求を到着予定時刻とともに送信し（【００３２】）、
　これを受信した充電スタンドは、充電スポットの空き情報を調べ、当該到着予定時刻における充電スポットの空きの有無を満空情報応答で返信し（【００３２】）、
　満空情報応答S705を受信した予約サーバ104は、充電スタンド探索応答をカーナビゲーションシステム101に送信し、この充電スタンド探索応答には、充電スタンドID、充電スタンド位置、到着予定時刻、充電スタンド属性、メッセージIDのセットが複数含まれ（【００３２】）、
　充電スタンド探索応答を受信したカーナビゲーションシステム101は、充電スタンド位置を画面表示し（【００３２】）、
　電気自動車に乗車しているユーザは、当該画面を見て充電スタンドを選択し（【００３４】）、その選択結果は、予約要求として予約サーバ104に送信され（【００３５】）、
　予約要求を受信した予約サーバ104は、予約要求を予約要求に含まれる充電スタンドIDが示す充電スタンドの管理端末106に送信し（【００３５】）、
　この予約要求は到着予定時刻も含み、充電スタンドは車両IDと到着予定時刻を受け取り、当該時刻に予約が可能であることを確認した上で予約応答を予約サーバ104に返答し（【００３５】）、
　予約サーバ104は、予約応答をカーナビゲーションシステム101に応答し（【００３５】）、
　予約応答には充電スタンドID、充電スタンド位置、経路探索および到着時刻予測で算出されたルート情報と到着予想時刻が含まれ（【００３５】）、
　カーナビゲーションシステムは、到着時刻までに到着するためにとるべきルートを受信しているため、それを表示することによってユーザを充電スタンドに誘導する（【００３６】）、
　予約方法。」
第５　対比・判断
１．本願発明１について
（１）対比
　本願発明１と引用発明に係る携帯電話とを対比すると、次のことがいえる。
・引用発明の「携帯電話」は、充電装置で電気自動車を充電する際に、充電装置に表示されたＵＲＬにアクセスしたり、充電の進捗状況を受信したりするために使用されるから、本願発明１の「充電ステーションから電動自動車に充電する際に使用されるポータブル通信デバイス」に相当する。
・引用発明の「２次元情報コード」は、充電装置の適所に表示され、充電装置ごとに異なるＵＲＬを表すものであるから、本願発明１の「前記充電ステーションと関連付けられたコード」に相当する。
　また、当該「ＵＲＬ」は、本願発明１の「識別子」に相当する。
・引用発明の携帯電話７０は２次元情報コードを読み取る手段を備えており、当該手段は、本願発明１の「前記充電ステーションと関連付けられたコードを受け取るように構成された第１の入力デバイス」に相当する。
・引用発明の携帯電話は、ＵＲＬにアクセスしてＷｅｂページを表示し、また、運転者は、携帯電話が受信した電子メールの内容（充電の進捗状況や充電の終了）を知ることができから、Ｗｅｂページや電子メールを表示する手段を有するといえる。当該表示手段は、本願発明１の「表示デバイス」に相当する。
・引用発明の携帯電話は、「２次元情報コード８０を読み取り前記ＵＲＬにアクセス」してＷｅｂページを表示することから、２次元情報コードの読み取り手段と表示手段とに結合され、読み取り手段が読み取った２次元情報コードに基づいてＵＲＬを決定する処理手段を有するといえる。
　当該処理手段は、本願発明１の「前記第１の入力デバイスおよび前記表示デバイスに結合されたプロセッサであって、前記第１の入力デバイスが受け取った前記コードに基づいて前記充電ステーションの識別子を決定し」に相当する。
・引用発明の「Ｗｅｂページ」は、充電装置ごとに異なるＵＲＬに対応するページであるから、本願発明１の「該充電ステーションに関連付けられたコンテンツ」に相当する。
　そして、引用発明の携帯電話は、アクセス先からＷｅｂページを受け取り、Ｗｅｂページを表示手段に表示させる処理手段を有するといえる。
　したがって、引用発明の当該処理手段と、本願発明１の「前記識別子を充電ネットワークサーバに送信して前記充電ステーションとの通信を開始し、前記充電ステーションから該充電ステーションに関連付けられたコンテンツを受けとり、前記充電ステーションと関連付けられたコンテンツを含むユーザインターフェースを前記表示デバイスに表示させるように構成されたプロセッサ」は、「該充電ステーションに関連付けられたコンテンツを受けとり、前記充電ステーションと関連付けられたコンテンツを含むユーザインターフェースを前記表示デバイスに表示させるように構成されたプロセッサ」の点で共通する。
　したがって、本願発明１と引用発明に係る携帯電話との間には、次の一致点、相違点があるといえる。
＜一致点＞
「充電ステーションから電動自動車に充電する際に使用されるポータブル通信デバイスであって、
　前記充電ステーションと関連付けられたコードを受け取るように構成された第１の入力デバイスと、
　表示デバイスと、
　前記第１の入力デバイスおよび前記表示デバイスに結合されたプロセッサであって、前記第１の入力デバイスが受け取った前記コードに基づいて前記充電ステーションの識別子を決定し、該充電ステーションに関連付けられたコンテンツを受けとり、前記充電ステーションと関連付けられたコンテンツを含むユーザインターフェースを前記表示デバイスに表示させるように構成されたプロセッサと
　を備えた、
　ポータブル通信デバイス。」
＜相違点１＞
　本願発明１の充電ネットワークサーバは「前記識別子を受け取り、該識別子に基づいて前記ポータブル通信デバイスと前記充電ステーションとの通信を管理」するものであるのに対し、引用発明の充電装置管理サーバは、「前記識別子を受け取り、該識別子に基づいて前記ポータブル通信デバイスと前記充電ステーションとの通信を管理」するものではない点。
＜相違点２＞
　プロセッサが、本願発明１では「前記識別子を充電ネットワークサーバに送信して前記充電ステーションとの通信を開始」するものであるのに対し、引用発明では、ＵＲＬ（識別子）にアクセスしてＷｅｂページに接続するものであり、当該識別子を充電ネットワークサーバに送信して充電ステーションとの通信を開始」するものではない点。
＜相違点３＞
　コンテンツが、本願発明１では、「充電ステーションから」受け取るものであるのに対し、引用発明では、ＵＲＬのアクセス先から受け取るものである点。
＜相違点４＞
　ポータブル通信デバイスが、本願発明１では「前記プロセッサに結合され、ユーザから充電の停止の指示を含む充電コマンドを受信するように構成された第２の入力デバイスをさらに備え、前記プロセッサが、前記ポータブル通信デバイスの前記第２の入力デバイスから充電コマンドを受信し、前記充電コマンドを前記充電ネットワークサーバに送信するように構成され」るのに対し、引用発明では、充電コマンドを受信するものではなく、充電コマンドを充電ネットワークサーバに送信するものでもない点。
＜相違点５＞
　本願発明１は「前記充電ネットワーサーバが前記充電コマンドを前記充電ステーションに送信するように構成されている」のに対し、引用発明は、充電ネットワークサーバが充電コマンドを充電ステーションに送信するように構成されていない点。
（２）　相違点についての判断
　前記相違点１、２について検討すると、引用発明の充電装置管理サーバは、充電装置から各種情報を随時受信して記憶部に記憶し、記憶された情報を携帯電話のメールアドレスに送信するものの、充電装置から収集した情報を携帯電話に配信しているだけで、「前記識別子を受け取り、該識別子に基づいて前記ポータブル通信デバイスと前記充電ステーションとの通信を管理」しているとはいえない。
　また、引用発明の携帯電話は、ＵＲＬを表す２次元情報コードを読み取ってＷｅｂページにアクセスするが、これはウェブブラウザの機能にすぎず、本願発明１のように、「前記識別子を充電ネットワークサーバに送信して前記充電ステーションとの通信を開始」するものではない。
　また、引用文献２−５にも、本願発明１の「前記識別子を受け取り、該識別子に基づいて前記ポータブル通信デバイスと前記充電ステーションとの通信を管理」する充電ネットワークサーバや、「前記第１の入力デバイスが受け取った前記コードに基づいて前記充電ステーションの識別子を決定し、前記識別子を充電ネットワークサーバに送信して前記充電ステーションとの通信を開始」するポータブル通信デバイスは記載されていない。
　また、前記相違点３−５についても、引用文献２−５に記載されているとはいえない。
　したがって、本願発明１は、当業者であっても、引用発明及び引用文献２−５に記載された事項に基づいて容易に発明できたものとはいえない。
　
２．本願発明２−９について
　本願発明２−９も、本願発明１の特に相違点１及び２に係る「前記第１の入力デバイスおよび前記表示デバイスに結合されたプロセッサであって、前記第１の入力デバイスが受け取った前記コードに基づいて前記充電ステーションの識別子を決定し、前記識別子を充電ネットワークサーバに送信して前記充電ステーションとの通信を開始し」、「前記充電ネットワークサーバは、前記識別子を受け取り、該識別子に基づいて前記ポータブル通信デバイスと前記充電ステーションとの通信を管理し」と同一の構成を備えるものであるから、本願発明１と同じ理由により、当業者であっても引用発明及び引用文献２−５に記載された事項に基づいて容易に発明できたものとはいえない。
第６　原査定について
　審判請求時の補正により、本願発明１−９は、特に相違点１及び２に係る「前記第１の入力デバイスおよび前記表示デバイスに結合されたプロセッサであって、前記第１の入力デバイスが受け取った前記コードに基づいて前記充電ステーションの識別子を決定し、前記識別子を充電ネットワークサーバに送信して前記充電ステーションとの通信を開始し」、「前記充電ネットワークサーバは、前記識別子を受け取り、該識別子に基づいて前記ポータブル通信デバイスと前記充電ステーションとの通信を管理し」という事項を有するものとなっており、当業者であっても、拒絶査定において引用された引用文献１−５に基づいて、容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。